(57)【要約】【課題】  過去に撮影された画像から所望の画像を容易に取り出すことのできる画像取扱装置及びそのプログラムを提供することを目的とする。【解決手段】  画像取得手段（１１）により取得された画像を第１画像として記憶する第１画像記憶手段（３２）と、予め設定した所定のタイミング（１３、３４）又は所定の移動距離毎（１５）又は所定の高度を越える毎（１６）に上記画像取得手段により取得された画像を更に第２画像として上記第１画像と識別可能に記憶する第２画像記憶手段（３３）と、上記第２画像記憶手段に記憶された上記第２画像を表示する表示手段（３７）とを有する画像取扱装置である。【選択図】    図６
2006245639.tif 000002
【特許請求の範囲】
【請求項１】
画像取得手段により取得された画像を第１画像として記憶する第１画像記憶手段と、
予め設定した所定のタイミング又は所定の移動距離毎又は所定の高度を越える毎に上記画像取得手段により取得された画像を更に第２画像として上記第１画像と識別可能に記憶する第２画像記憶手段と、
上記第２画像記憶手段に記憶された上記第２画像を表示する表示手段と、
を有することを特徴とする画像取扱装置。
【請求項２】
上記画像取扱装置は、撮像装置であることを特徴とする請求項１に記載の画像取扱装置。
【請求項３】
上記第２画像記憶手段に記憶される第２画像は、撮影した累積撮影駒数が所定の目標撮影駒数を超過する毎にその超過するときに撮影された画像であることを特徴とする請求項１に記載の画像取扱装置。
【請求項４】
上記第２画像記憶手段に記憶される第２画像は、撮影日の最初に撮影された画像であることを特徴とする請求項１に記載の画像取扱装置。
【請求項５】
上記第２画像記憶手段に記憶される第２画像は、最終撮影日から一定期間以上経過した後に撮影した最初の画像であることを特徴とする請求項１に記載の画像取扱装置。
【請求項６】
上記第２画像記憶手段に記憶された画像は撮影された枚数に関する付帯情報を有し、上記表示手段は上記付帯情報に基づいて、上記第２画像記憶手段に記憶された画像又はその縮小画像を時系列的に表示することを特徴とする請求項１に記載の撮像装置。
【請求項７】
画像取得手段により取得された画像を第１画像として記憶する第１画像記憶ステップと、
予め設定した所定のタイミング又は所定の移動距離毎又は所定の高度を越える毎に上記画像取得手段により取得された画像を更に第２画像として上記第１画像と識別可能に記憶する第２画像記憶ステップと、
上記第２画像記憶手段に記憶された上記第２画像を表示する表示ステップと、
をコンピュータに実行させるためのプログラム。
【発明の詳細な説明】
【技術分野】
【０００１】
本発明は、過去に撮影された画像から所望の画像を容易に取り出すことのできる画像取扱装置及びそのプログラムに関する。
【背景技術】
【０００２】
過去に撮影した画像を鑑賞する場合、所望の時期に撮影した画像を膨大な数の画像の中から探し出す必要があった。しかし、遠い過去の画像をしかも時系列で抽出するには多大の労力を要していた。
【０００３】
特許文献１に記載の画像記録再生装置は、写真画像の撮影時に写真画像にその画像に関する付帯情報を付与する手段を画像撮影部に設け、写真画像を表示する際に付帯情報に基づいて表示を行う手段を画像保存表示部に設けている。そして、画像保存表示部は、データの記憶部を持ち画像データ等を保存すると共に、電子的にアルバムの形式で、画像の表示を行う。
【特許文献１】特開２００３−１７９８６１号公報
【発明の開示】
【発明が解決しようとする課題】
【０００４】
しかし、この特許文献１に記載された技術では、撮影されて記憶されている画像データと対応付けて同数の付帯情報を保存するため、結局、膨大な数の付帯情報を検索しなければならない。また、付帯情報が検索しようとしている画像を適切に示していることが必要であるが、そのために付帯情報が備えるべき要件については明確にされていない。更に、その付帯情報に基づいて選択した画像が所望の画像であるかどうかは、選択した画像を表示して確認することが必要であるため余分な確認作業が必要であった。
【０００５】
本発明は、かかる事情に鑑みてなされたものであり、過去に撮影された画像から所望の画像を容易に取り出すことのできる画像取扱装置及びそのプログラムを提供することを目的とする。
【課題を解決するための手段】
【０００６】
上記課題を解決するための、本発明に係る請求項１に記載の画像取扱装置は、画像取得手段により取得された画像を第１画像として記憶する第１画像記憶手段と、予め設定した所定のタイミング又は所定の移動距離毎又は所定の高度を越える毎に上記画像取得手段により取得された画像を更に第２画像として上記第１画像と識別可能に記憶する第２画像記憶手段と、上記第２画像記憶手段に記憶された上記第２画像を表示する表示手段と、を有する。
【０００７】
また本発明に係る請求項２に記載の画像取扱装置は、上記記載の発明である画像取扱装置において、上記画像取扱装置は、撮像装置である。
【０００８】
また本発明に係る請求項３に記載の画像取扱装置は、上記記載の発明である画像取扱装置において、上記第２画像記憶手段に記憶される第２画像は、撮影した累積撮影駒数が所定の目標撮影駒数を超過する毎にその超過するときに撮影された画像である。
【０００９】
また本発明に係る請求項４に記載の画像取扱装置は、上記記載の発明である画像取扱装置において、上記第２画像記憶手段に記憶される第２画像は、撮影日の最初に撮影された画像である。
【００１０】
また本発明に係る請求項５に記載の画像取扱装置は、上記記載の発明である画像取扱装置において、上記第２画像記憶手段に記憶される第２画像は、最終撮影日から一定期間以上経過した後に撮影した最初の画像である。
【００１１】
また本発明に係る請求項６に記載の画像取扱装置は、上記記載の発明である画像取扱装置において、上記第２画像記憶手段に記憶された画像は撮影された枚数に関する付帯情報を有し、上記表示手段は上記付帯情報に基づいて、上記第２画像記憶手段に記憶された画像又はその縮小画像を時系列的に表示する。
【００１２】
また本発明に係る請求項７に記載のプログラムは、画像取得手段により取得された画像を第１画像として記憶する第１画像記憶ステップと、予め設定した所定のタイミング又は所定の移動距離毎又は所定の高度を越える毎に上記画像取得手段により取得された画像を更に第２画像として上記第１画像と識別可能に記憶する第２画像記憶ステップと、上記第２画像記憶手段に記憶された上記第２画像を表示する表示ステップとをコンピュータに実行させる。
【発明の効果】
【００１３】
本発明によれば、過去に撮影された画像から所望の画像を容易に取り出すことができる。
【発明を実施するための最良の形態】
【００１４】
［第１の実施の形態］
図１は、本発明の第１の実施の形態の画像取扱装置１の構成を示す図である。なお、以下に説明する画像取扱装置１は、撮像装置を例としている。
【００１５】
画像取扱装置１は、画像入力装置２と画像処理装置３で構成されている。画像入力装置２は、画像を取得して、その画像を取得した際の情報とともに画像処理装置３に出力する。画像処理装置３は、画像入力装置２から送られてきた画像を記憶すると共に、更に送られてきた画像の内、節目に当たる画像を抽出して記憶する。そして要求に応じてそれらの画像を表示する。
【００１６】
画像入力装置２は、画像取得装置１１、画像記憶装置１２、撮影枚数カウンタ１３、カレンダ時計１４、ＧＰＳ１５、高度感知装置１６、操作装置１７、表示装置１８、ＲＯＭ１９、ＲＡＭ２０、通信装置２１及びＣＰＵ２２を備えている。
【００１７】
画像取得装置１１は、画像を撮影、あるいは外部装置（不図示）からの通信により取得する。画像記憶装置１２は、取得した画像を保存する。撮影枚数カウンタ１３は、画像を撮影する毎に撮影枚数を積算する。カレンダ時計１４は、年月日時分秒を計時する。ＧＰＳ１５は、画像入力装置２の現在の位置をＧＰＳ（Global Positioning System）によって把握する。高度感知装置１６は、画像入力装置２の現在の位置を高度計によって検出する。なお高度は、ＧＰＳ（Global Positioning System）によって把握しても良い。
【００１８】
操作装置１７は、ユーザが画像入力装置２に指示を入力するための装置であり、例えば、キーボード、マウス、十字キー等の入力デバイスである。表示装置１８は、画像を表示するＣＲＴまたはＴＦＴ液晶ディスプレイである。ＲＯＭ１９は、画像入力装置２の各機能を制御するプログラムを保存する。ＲＡＭ２０は、画像入力装置２の処理データを記憶するバッファメモリである。通信装置２１は、画像処理装置３と通信により情報の授受を行う。ＣＰＵ２２は、画像入力装置２の各部を統括して制御する。
【００１９】
画像処理装置３には、通信装置３１、第１画像記憶装置３２、第２画像記憶装置３３、所定タイミング記憶装置３４、最終撮影情報記録部３５、操作装置３６、表示装置３７、ＲＯＭ３８、ＲＡＭ３９及びＣＰＵ４０が設けられている。
【００２０】
通信装置３１は、画像入力装置２と通信により情報の授受を行う。第１画像記憶装置３２は、画像入力装置２から送られた画像を保存する。第２画像記憶装置３３は、画像入力装置２から送られた画像の内、節目となるタイミングで取得された画像を記憶する。所定タイミング記憶装置３４は、操作装置１７を介して入力された節目となるタイミングを記憶するための記憶装置である。最終撮影情報記録部３５は、撮影グループ単位で最後に撮影された日時等の情報を記録する。なお、撮影グループ単位とは、同時期に撮影された一連の撮影画像のまとまりをいう。
【００２１】
操作装置３６は、ユーザが画像処理装置３に指示を入力するための装置であり、例えば、キーボード、マウス、十字キー等の入力デバイスである。表示装置３７は、画像を表示するＣＲＴまたはＴＦＴ液晶ディスプレイである。ＲＯＭ３８は、画像処理装置３の各機能を制御するプログラムを保存する。ＲＡＭ３９は、画像処理装置３の処理データを記憶するバッファメモリである。ＣＰＵ４０は、画像処理装置３の各部を統括して制御する。
【００２２】
続いて、以上のように構成された画像取扱装置１の動作について、図２を参照しつつ説明する。
【００２３】
ステップＳ０１〜Ｓ０２において、画像入力装置２の画像取得装置１１が撮影を行って画像を取得する毎に、撮影枚数カウンタ１３が撮影した枚数をカウントする。そして、ステップＳ０３において、ＣＰＵ２２は、撮影した画像と撮影枚数情報とを、通信装置２１を介して画像処理装置３に送信する。
【００２４】
一方、所定タイミング記憶装置３４には、ステップＴ０１において、予め第２画像記憶装置３３に画像を保存するタイミングを指定する目標撮影駒数が記憶される。この記憶操作は、操作装置１７を介して行われる。
【００２５】
ステップＴ０２〜Ｔ０３において、通信装置３１を介して撮影画像と撮影枚数情報とを受信すると、ＣＰＵ４０は、撮影枚数が所定の目標枚数である目標撮影駒数の整数倍になっているかどうかを調べる。ステップＴ０３でＮｏの場合、即ち、撮影枚数が所定の目標枚数の整数倍と一致しない場合は、ステップＴ０４において、送信された画像を第１画像記憶装置３２に保存して処理を終了する。
【００２６】
一方、ステップＴ０３でＹｅｓの場合、即ち、撮影枚数が所定の目標枚数の整数倍と一致した場合は、ステップＴ０５において、送信された画像を第１画像記憶装置３２と第２画像記憶装置３３に保存する。ステップＴ０６において、第２画像記憶装置３３に保存された画像の枚数が所定の保存目標枚数の整数倍を超過するかどうかを調べる。ステップＴ０６でＮｏの場合は処理を終了する。
【００２７】
ステップＴ０６でＹｅｓの場合、即ち、第２画像記憶装置３３に保存された画像の枚数が所定の総目標枚数の整数倍を超過した場合は、ステップＴ０８において、第２画像記憶装置３３に保存されている画像をサムネイル画像あるいはスライドショーによって表示装置３７に表示する。ユーザは表示される、過去に撮影された複数の節目ごとの画像を見て、閲覧したい画像のグループを選択することができる。すると、ステップＴ０９において、第１画像記憶装置３２に保存されているその選択されたグループの画像がサムネイル画像あるいはスライドショーによって表示される。
【００２８】
なお、ステップＴ０８又はＴ０９の動作は、撮影動作とは別のタイミングで実施しても良い。例えば、画像入力装置２が撮影モードでないタイミング、ユーザが表示装置３７を監視しているタイミング、電源を投入して画像取扱装置１が立ち上がったタイミング等に実施しても良い。また、その旨のメッセージを表示装置３７に表示し、ユーザの操作によってステップＴ０８及びＴ０９の動作を実行するようにしても良い。
【００２９】
ステップＴ０７において、ユーザが、メッセージに基づいてあるいは過去の画像の閲覧を希望して、操作装置３６から表示指示を入力すると、ステップＴ０８において、第２画像記憶装置３３に保存されている画像をサムネイル画像あるいはスライドショーによって表示装置３７に表示する。ユーザは表示される、過去に撮影された複数の節目ごとの画像を見て、閲覧したい画像のグループを選択すると、ステップＴ０９において、第１画像記憶装置３２に保存されているその選択されたグループの画像がサムネイル画像あるいはスライドショーによって表示される。
【００３０】
第１の実施の形態によれば、例えば、１００枚ごとの画像を節目の画像と設定すると、過去１年間、どのような撮影を行ったかを簡便に振り返ることができる。従って、所望の画像を容易に検索することができる。
【００３１】
［第１の実施の形態のバリエーション１］
第１の実施の形態のバリエーションに係る画像取扱装置１では、撮影した日付に基づいて節目の画像を決定する点が第１の実施の形態と異なっている。
【００３２】
図３は、バリエーションに係る、画像を取り扱う手順を示すフロー図である。
【００３３】
ステップＳ１１において、画像入力装置２の画像取得装置１１が撮影を行って画像を取得する毎に、カレンダ時計１４が撮影した日時を付帯情報として記録する。そして、ステップＳ１２において、ＣＰＵ２２は、撮影した画像と撮影日時とを、通信装置２１を介して画像処理装置３に送信する。
【００３４】
一方、画像処理装置３では、ステップＴ１１〜Ｔ１２において、通信装置３１を介して撮影画像と撮影日時とを受信すると、ＣＰＵ４０は、送信された画像が撮影日の最初に撮影された画像かどうかを調べる。そこで、ＣＰＵ４０は、最終撮影情報記録部３５に記録されている最終撮影日時と、送信された撮影日時とを比較し、撮影日が異なっている場合は、送信された画像が撮影日の最初に撮影された画像であると判断する。
【００３５】
ステップＴ１２でＮｏの場合、即ち、送信された画像が撮影日の最初に撮影された画像でない場合は、ステップＴ１３において、送信された画像を第１画像記憶装置３２に保存して処理を終了する。
【００３６】
一方、ステップＴ１２でＹｅｓの場合、即ち、送信された画像が撮影日の最初に撮影された画像である場合は、ステップＴ１４において、送信された画像を第１画像記憶装置３２と第２画像記憶装置３３に保存する。また、送信された撮影日時を最終撮影情報記録部３５に記録する。そして、ステップＴ１５において、第２画像に保存された画像の枚数が所定の総目標枚数を超過するかどうかを調べる。ステップＴ１５でＮｏの場合は処理を終了する。
【００３７】
ステップＴ１５でＹｅｓの場合、即ち、第２画像記憶装置３３に保存された画像の枚数が所定の総目標枚数を超過した場合は、ステップＴ１７において、第２画像記憶装置３３に保存されている画像をサムネイル画像あるいはスライドショーによって表示装置３７に表示する。ユーザは表示される、過去に撮影された複数の日付を節目とする画像を見て、閲覧したい画像のグループを選択することができる。すると、ステップＴ１８において、第１画像記憶装置３２に保存されているその選択されたグループの画像がサムネイル画像あるいはスライドショーによって表示される。
【００３８】
なお、ステップＴ１７及びＴ１８の動作は、撮影動作とは別のタイミングで実施しても良い。例えば、画像入力装置２が撮影モードでないタイミング、ユーザが表示装置３７を監視しているタイミング、電源を投入して画像取得装置１が立ち上がったタイミング等に実施しても良い。また、その旨のメッセージを表示装置３７に表示し、ユーザの操作によってステップＴ１７及びＴ１８の動作を実行するようにしても良い。
【００３９】
ステップＴ１６において、ユーザが、メッセージに基づいてあるいは過去の画像の閲覧を希望して、操作装置１７から表示指示を入力すると、ステップＴ１７において、第２画像記憶装置３３に保存されている画像をサムネイル画像あるいはスライドショーによって表示装置３７に表示する。ユーザは表示される、過去に撮影された複数の日付を節目とする画像を見て、閲覧したい画像のグループを選択すると、ステップＴ１８において、第１画像記憶装置３２に保存されているその選択されたグループの画像がサムネイル画像あるいはスライドショーによって表示される。
【００４０】
このバリエーションの形態によれば、節目の画像が日付毎に記録されているため、その日の撮影テーマを簡単に思い出すことができる。従って、これまでの活動を振り返る際に、非常に便利である。
【００４１】
［第１の実施の形態のバリエーション２］
第１の実施の形態のバリエーション２に係る画像取扱装置１では、前回撮影した日からの経過日数に基づいて節目の画像を決定する点が第１の実施の形態と異なっている。
【００４２】
図４は、バリエーションに係る、画像を取り扱う手順を示すフロー図である。
【００４３】
ステップＳ２１において、画像入力装置２の画像取得装置１１が撮影を行って画像を取得する毎に、カレンダ時計１４が撮影した日時を付帯情報として記録する。そして、ステップＳ２２において、ＣＰＵ２２は、撮影した画像と撮影日時とを、通信装置２１を介して画像処理装置３に送信する。
【００４４】
一方、画像処理装置３では、ステップＴ２１〜Ｔ２２において、通信装置３１を介して撮影画像と撮影日時とを受信すると、ＣＰＵ４０は、送信された画像が最終撮影日から一定期間経過した後に撮影された最初の画像かどうかを調べる。送信された撮影日時が最終撮影情報記録部３５に記録されている最終撮影日時から一定以上の期間を経過している場合は、ＣＰＵ４０は、送信された画像が最終撮影日から一定期間経過した後に撮影した最初の画像であると判断する。
【００４５】
ステップＴ２２でＮｏの場合、即ち、送信された画像が最終撮影日から一定期間経過した後に撮影した最初の画像でない場合は、ステップＴ２３において、送信された画像を第１画像記憶装置３２に保存して処理を終了する。
【００４６】
一方、ステップＴ２２でＹｅｓの場合、即ち、送信された画像が最終撮影日から一定期間経過した後に撮影した最初の画像である場合は、ステップＴ２４において、送信された画像を第１画像記憶装置３２と第２画像記憶装置３３に保存する。また、送信された撮影日時を最終撮影情報記録部３５に記録する。
【００４７】
なお、これ以降の手順は第１の実施の形態と同一であるためその詳細の説明は省略する。なお、上述の一定の期間は、ユーザが操作装置３６から設定することができる。
【００４８】
このバリエーションの形態によれば、撮影者の撮影状況に対応して定められる期間毎に節目の画像が記録されているため、撮影テーマを簡単に思い出すことができる。従って、これまでの活動を振り返る際に、非常に便利である。
【００４９】
［第１の実施の形態のバリエーション３］
第１の実施の形態のバリエーション３に係る画像取扱装置１では、前回撮影した場所からの距離又は高度に基づいて節目の画像を決定する点が第１の実施の形態と異なっている。
【００５０】
図５は、バリエーションに係る、画像を取り扱う手順を示すフロー図である。
【００５１】
ステップＳ３１において、画像入力装置２の画像取得装置１１が撮影を行って画像を取得する毎に、ＧＰＳ１５が撮影した場所の位置を付帯情報として記録し、あるいは高度感知装置１６が撮影した場所の高度を付帯情報として記録する。そして、ステップＳ３２において、ＣＰＵ２２は、撮影した画像と位置または高度とを、通信装置２１を介して画像処理装置３に送信する。
【００５２】
一方、画像処理装置３では、ステップＴ３１〜Ｔ３２において、通信装置３１を介して撮影画像と撮影位置または高度とを受信すると、ＣＰＵ４０は、送信された画像が前回撮影した場所と一定以上の距離又は高度が離れているかどうかを調べる。送信された撮影日時が最終撮影情報記録部３５に記録されている最終撮影位置又は高度と一定値以上差がある場合は、ＣＰＵ４０は、送信された画像が前回撮影した場所と一定値以上の距離又は高度が離れている状態で撮影した最初の画像であると判断する。
【００５３】
ステップＴ３２でＮｏの場合、即ち、送信された画像が前回撮影した場所と一定値以上の距離又は高度が離れている状態で撮影した最初の画像でない場合は、ステップＴ３３において、送信された画像を第１画像記憶装置３２に保存して処理を終了する。
【００５４】
一方、ステップＴ３２でＹｅｓの場合、即ち、送信された画像が前回撮影した場所と一定値以上の距離又は高度が離れている状態で撮影した最初の画像である場合は、ステップＴ３４において、送信された画像を第１画像記憶装置３２と第２画像記憶装置３３に保存する。また、送信された位置又は高度を最終撮影情報記録部３５に記録する。
【００５５】
なお、これ以降の手順は第１の実施の形態と同一であるためその詳細の説明は省略する。なお、上述の距離又は高度の一定値は、ユーザが操作装置３６から設定することができる。
【００５６】
バス旅行などでは、複数の場所を効率的に回って行くことが多い。そのため、節目となる画像は例えば、１０Ｋｍ以上移動した後の最初の画像となることが予想される。このバリエーションの形態によれば、１旅行中に沢山の画像を撮影しても、テーマ毎に振り返ることが可能となる。
【００５７】
［第２の実施の形態］
図６は、第２の実施の形態の画像取扱装置の構成を示す図である。第２の実施の形態では、画像取扱装置１が一体として形成されている点が第１の実施の形態と異なっている。従って、第１の実施の形態と同様の機能を備えた部位には同一の符号を付してその詳細の説明は省略する。
【００５８】
次に、以上のように構成された画像取扱装置１の動作について、図７を参照しつつ説明する。
【００５９】
ステップＰ０１において、ユーザは予め第２画像記憶装置３３に画像を保存するタイミングを指定する目標撮影駒数を所定タイミング記憶装置３４に設定する。この設定操作は動作装置１７を介して行う。
【００６０】
ステップＰ０２において、画像取得装置１１が撮影を行って画像を取得する毎に、撮影枚数カウンタ１３が撮影した枚数をカウントする。そして、ステップＳ０３において、撮影した画像を第１画像記憶装置３２に保存する。次に、ステップＰ０４において、ＣＰＵ４０は、撮影枚数が所定の目標枚数である目標撮影駒数の整数倍になっているかどうかを調べる。ステップＰ０４でＮｏの場合、即ち、撮影枚数が所定の目標枚数の整数倍と一致しない場合は、ステップＰ０２に戻り新たな撮影がされるまで待機する。
【００６１】
一方、ステップＰ０４でＹｅｓの場合、即ち、撮影枚数が所定の目標枚数の整数倍と一致した場合は、ステップＰ０５において、撮影した画像を第２画像記憶装置３３に保存する。ステップＰ０６において、第２画像記憶装置３３に保存された画像の枚数が所定の保存目標枚数を超過するかどうかを調べる。ステップＰ０６でＮｏの場合は、ステップＰ０２に戻り新たな撮影がされるまで待機する。
【００６２】
ステップＰ０６でＹｅｓの場合、即ち、第２画像記憶装置３３に保存された画像の枚数が所定の総目標枚数を超過した場合は、ステップＰ０８において、第２画像記憶装置３３に保存されている画像をサムネイル画像あるいはスライドショーによって表示装置３７に表示する。ユーザは表示される、過去に撮影された複数の節目ごとの画像を見て、閲覧したい画像のグループを選択することができる。すると、ステップＰ０９において、第１画像記憶装置３２に保存されているその選択されたグループの画像がサムネイル画像あるいはスライドショーによって表示される。
【００６３】
なお、ステップＰ０８又はＰ０９の動作は、撮影動作とは別のタイミングで実施しても良い。例えば、画像入力装置２が撮影モードでないタイミング、ユーザが表示装置３７を監視しているタイミング、電源を投入して立ち上がったタイミング等に実施しても良い。また、その旨のメッセージを表示装置３７に表示し、ユーザの操作によってステップＰ０８又はＰ０９の動作を実行するようにしても良い。
【００６４】
ステップＰ０７において、ユーザが、メッセージに基づいてあるいは過去の画像の閲覧を希望して、操作装置３６から表示指示を入力すると、ステップＰ０８において、第２画像記憶装置３３に保存されている画像をサムネイル画像あるいはスライドショーによって表示装置３７に表示する。ユーザは表示される、過去に撮影された複数の節目ごとの画像を見て、閲覧したい画像のグループを選択すると、ステップＰ０９において、第１画像記憶装置３２に保存されているその選択されたグループの画像がサムネイル画像あるいはスライドショーによって表示される。
【００６５】
［第２の実施の形態のバリエーション１］
第２の実施の形態のバリエーションに係る画像取扱装置１では、撮影した日付に基づいて節目の画像を決定する点が第１の実施の形態と異なっている。
【００６６】
図８は、バリエーションに係る、画像を取り扱う手順を示すフロー図である。
【００６７】
ステップＰ１１において、画像取得装置１１が撮影を行って画像を取得する毎に、カレンダ時計１４が撮影した日時を付帯情報として記録する。そして、ステップＰ１２において、ＣＰＵ４０は、撮影された画像が撮影日の最初に撮影された画像かどうかを調べる。そこで、ＣＰＵ４０は、最終撮影情報記録部３５に記録されている最終撮影日時と、この撮影日時とを比較し、撮影日が異なっている場合は、撮影した画像が撮影日の最初に撮影された画像であると判断する。
【００６８】
ステップＰ１２でＮｏの場合、即ち、撮影された画像が撮影日の最初に撮影された画像でない場合は、ステップＰ１３において、撮影された画像を第１画像記憶装置３２に保存し、ステップＰ１１に戻り次の撮影を待機する。
【００６９】
一方、ステップＰ１２でＹｅｓの場合、即ち、撮影された画像が撮影日の最初に撮影された画像である場合は、ステップＰ１４において、撮影された画像を第１画像記憶装置３２と第２画像記憶装置３３に保存する。また、撮影日時を最終撮影情報記録部３５に記録する。そして、ステップＰ１５において、第２画像に保存された画像の枚数が所定の総目標枚数を超過するかどうかを調べる。ステップＰ１５でＮｏの場合は、ステップＰ１１に戻り次の撮影を待機する。
【００７０】
ステップＰ１５でＹｅｓの場合、即ち、第２画像記憶装置３３に保存された画像の枚数が所定の総目標枚数を超過した場合は、ステップＰ１７において、第２画像記憶装置３３に保存されている画像をサムネイル画像あるいはスライドショーによって表示装置３７に表示する。ユーザは表示される、過去に撮影された複数の日付を節目とする画像を見て、閲覧したい画像のグループを選択することができる。すると、ステップＰ１８において、第１画像記憶装置３２に保存されているその選択されたグループの画像がサムネイル画像あるいはスライドショーによって表示される。
【００７１】
なお、ステップＰ１７又はＰ１８の動作は、撮影動作とは別のタイミングで実施しても良い。例えば、画像取得装置１が撮影モードでないタイミング、ユーザが表示装置３７を監視しているタイミング、電源を投入して立ち上がったタイミング等に実施しても良い。また、その旨のメッセージを表示装置３７に表示し、ユーザの操作によってステップＰ１７又はＰ１８の動作を実行するようにしても良い。
【００７２】
ステップＰ１６において、ユーザが、メッセージに基づいてあるいは過去の画像の閲覧を希望して、操作装置３６から表示指示を入力すると、ステップＰ１７において、第２画像記憶装置３３に保存されている画像をサムネイル画像あるいはスライドショーによって表示装置３７に表示する。ユーザは表示される、過去に撮影された複数の日付を節目とする画像を見て、閲覧したい画像のグループを選択すると、ステップＰ１８において、第１画像記憶装置３２に保存されているその選択されたグループの画像がサムネイル画像あるいはスライドショーによって表示される。
【００７３】
［第２の実施の形態のバリエーション２］
第２の実施の形態のバリエーション２に係る画像取扱装置１では、前回撮影した日からの経過日数に基づいて節目の画像を決定する点が第２の実施の形態と異なっている。
【００７４】
図９は、バリエーションに係る、画像を取り扱う手順を示すフロー図である。
【００７５】
ステップＰ２１において、画像取得装置１１が撮影を行って画像を取得する毎に、カレンダ時計１４が撮影した日時を付帯情報として記録する。そして、ステップＳ２２において、ＣＰＵ４０は、撮影した画像が最終撮影日から一定期間経過した後に撮影された最初の画像かどうかを調べる。撮影日時が最終撮影情報記録部３５に記録されている最終撮影日時から一定以上の期間を経過している場合は、ＣＰＵ４０は、撮影された画像が最終撮影日から一定期間経過した後に撮影した最初の画像であると判断する。
【００７６】
ステップＰ２２でＮｏの場合、即ち、送信された画像が最終撮影日から一定期間経過した後に撮影した最初の画像でない場合は、ステップＰ２３において、送信された画像を第１画像記憶装置３２に保存してステップＰ２１に戻り、次の撮影を待機する。
【００７７】
一方、ステップＰ２２でＹｅｓの場合、即ち、送信された画像が最終撮影日から一定期間経過した後に撮影した最初の画像である場合は、ステップＰ２４において、撮影された画像を第１画像記憶装置３２と第２画像記憶装置３３に保存する。また、撮影日時を最終撮影情報記録部３５に記録する。
【００７８】
なお、これ以降の手順は第２の実施の形態と同一であるためその詳細の説明は省略する。なお、上述の一定の期間は、ユーザが操作装置３６から設定することができる。
【００７９】
［第２の実施の形態のバリエーション３］
第２の実施の形態のバリエーション３に係る画像取扱装置１では、前回撮影した場所からの距離又は高度に基づいて節目の画像を決定する点が第２の実施の形態と異なっている。
【００８０】
図１０は、バリエーションに係る、画像を取り扱う手順を示すフロー図である。
【００８１】
ステップＰ３１において、画像取得装置１１が撮影を行って画像を取得する毎に、ＧＰＳ１５が撮影した場所の位置を付帯情報として記録し、あるいは高度感知装置１６が撮影した場所の高度を付帯情報として記録する。そして、ステップＰ３２において、ＣＰＵ４０は、撮影された画像が前回撮影した場所と一定以上の距離、又は高度が離れているかどうかを調べる。撮影日時が最終撮影情報記録部３５に記録されている最終撮影位置又は高度と一定値以上差がある場合は、ＣＰＵ４０は、送信された画像が前回撮影した場所と一定値以上の距離又は高度が離れている状態で撮影した最初の画像であると判断する。
【００８２】
ステップＰ３２でＮｏの場合、即ち、撮影された画像が前回撮影した場所と一定値以上の距離又は高度が離れている状態で撮影した最初の画像でない場合は、ステップＰ３３において、撮影された画像を第１画像記憶装置３２に保存してステップＰ３１に戻り、次の撮影を待機する。
【００８３】
一方、ステップＰ３２でＹｅｓの場合、即ち、撮影された画像が前回撮影した場所と一定値以上の距離又は高度が離れている状態で撮影した最初の画像である場合は、ステップＰ３４において、送信された画像を第１画像記憶装置３２と第２画像記憶装置３３に保存する。また、送信された位置又は高度を最終撮影情報記録部３５に記録する。
【００８４】
なお、これ以降の手順は第２の実施の形態と同一であるためその詳細の説明は省略する。なお、上述の距離又は高度の一定値は、ユーザが操作装置３６から設定することができる。
【００８５】
〔実施の形態の効果〕
以上説明した各実施の形態によれば、次のような効果を得ることができる。
【００８６】
遠い過去から現在までに撮影された節目の画像を容易に再現可能とし思い出をたどることができる。また、カメラ側で自動的に画像を分類して記録するので、撮影後に画像処理ソフトなどを使って分類するという煩雑な作業を不要にすることもできる。
【００８７】
更に、例えば１００ショット毎に画像を記録し、合計２０００ショットを達成した段階で、これまでの１００ショット毎に記録した画像をスライドショーとして自動生成し、次回起動時に画面を表示するので、ユーザは、思わず懐かしい画像に触れることができ、かつて撮影した画像を改めて振り返る機会を得ることができる。
【００８８】
なお、各実施の形態とそのバリエーションで説明したそれぞれの機能を、適宜選択して組合わせて画像取扱装置を構成しても良い。
【００８９】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【００９０】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【００９１】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００９２】
【図１】本発明の第１の実施の形態の画像取扱装置の構成を示す図。
【図２】画像を取り扱う手順を示すフロー図。
【図３】バリエーションに係る、画像を取り扱う手順を示すフロー図。
【図４】バリエーションに係る、画像を取り扱う手順を示すフロー図。
【図５】バリエーションに係る、画像を取り扱う手順を示すフロー図。
【図６】本発明の第２の実施の形態の画像取扱装置の構成を示す図。
【図７】画像を取り扱う手順を示すフロー図。
【図８】バリエーションに係る、画像を取り扱う手順を示すフロー図。
【図９】バリエーションに係る、画像を取り扱う手順を示すフロー図。
【図１０】バリエーションに係る、画像を取り扱う手順を示すフロー図。
【符号の説明】
【００９３】
１…画像取扱装置、２…画像入力装置、３…画像処理装置、１１…画像取得装置、１３…撮影枚数カウンタ、１４…カレンダ時計、１５…ＧＰＳ、１６…高度感知装置、１７…操作装置、１８…表示装置、２１…通信装置、２２…ＣＰＵ、３１…通信装置、３２…第１画像記憶装置、３３…第２画像記憶装置、３４…所定タイミング設定装置、３５…最終撮影情報記録部、３６…操作装置、３７…表示装置、４０…ＣＰＵ。
【図１】
2006245639.tif 000003
【図２】
2006245639.tif 000004
【図３】
2006245639.tif 000005
【図４】
2006245639.tif 000006
【図５】
2006245639.tif 000007
【図６】
2006245639.tif 000008
【図７】
2006245639.tif 000009
【図８】
2006245639.tif 000010
【図９】
2006245639.tif 000011
【図１０】
2006245639.tif 000012